(57)【要約】  【課題】  手間を要せずに通話音声の調整に関する設定を行うことができるインターホン装置を提供する。  【解決手段】  集合住宅等の建造物の室内に設置された室内インターホン親機２と、建造物の共同玄関に設置され、室内インターホン親機２から送信された音声を出力する子機スピーカ２２および子機スピーカ２２によって出力される音声の周波数成分を設置環境に応じて変化させる出力音声フィルタ２４を有する共同玄関子機３とを備える。【選択図】  図１
2006033594.tif 000002
【特許請求の範囲】
【請求項１】
建造物の室内に設置された室内インターホン親機と、
前記建造物の共同玄関に設置され、前記室内インターホン親機から送信された音声を出力する子機スピーカおよび前記子機スピーカによって出力される音声の周波数成分を設置環境に応じて変化させる出力音声フィルタを有する共同玄関子機とを備えたことを特徴とするインターホン装置。
【請求項２】
建造物の室内に設置された室内インターホン親機と、
前記建造物の共同玄関に設置され、前記室内インターホン親機に送信される音声が入力される子機マイクおよび前記子機マイクに入力された音声の周波数成分を設置環境に応じて変化させる入力音声フィルタを有する共同玄関子機とを備えたことを特徴とするインターホン装置。
【請求項３】
前記共同玄関子機は、前記室内インターホン親機から送信された音声を出力する子機スピーカを有し、前記子機スピーカによって出力される音声の周波数成分を設置環境に応じて変化させる出力音声フィルタを備えたことを特徴とする請求項２に記載のインターホン装置。
【請求項４】
前記出力音声フィルタの周波数特性が設定される出力音声フィルタ設定部を備えたことを特徴とする請求項１または請求項３に記載のインターホン装置。
【請求項５】
前記入力音声フィルタの周波数特性が設定される入力音声フィルタ設定部を備えたことを特徴とする請求項２または請求項３に記載のインターホン装置。
【請求項６】
前記室内インターホン親機は、前記入力音声フィルタの周波数特性が入力される入力部と、
前記入力部によって入力された周波数特性を表す特性情報を前記出力音声フィルタ設定部に送信する特性情報送信部とを有し、
前記出力音声フィルタ設定部は、前記特性情報送信部によって送信された特性情報に基づいて前記出力音声フィルタの周波数特性を設定するようにしたことを特徴とする請求項４に記載のインターホン装置。
【請求項７】
前記室内インターホン親機は、前記出力音声フィルタの周波数特性が入力される入力部と、
前記入力部によって入力された周波数特性を表す特性情報を前記入力音声フィルタ設定部に送信する特性情報送信部とを有し、
前記入力音声フィルタ設定部は、前記特性情報送信部によって送信された特性情報に基づいて前記入力音声フィルタの周波数特性を設定するようにしたことを特徴とする請求項５に記載のインターホン装置。
【発明の詳細な説明】
【技術分野】
【０００１】
本発明は、集合住宅等の建造物の共同玄関に設置される共同玄関子機と、建造物の各室内に設置される室内インターホン親機との間で通話させるインターホン装置に関するものである。
【背景技術】
【０００２】
従来のインターホン装置は、図５に示すように、住戸の玄関に設置されるドアホン子機７１と、室内に設置される室内インターホン親機７２とを備えており、ドアホン子機７１は、子機スピーカ７３、子機マイク７４、および通話回路７５を有している。
【０００３】
また、室内インターホン親機７２は、通話を行うためのレシーバー７６および親機マイク７７と、レシーバー７６によって出力される音声の音質を調整するための受話調整回路７８と、親機マイク７７を介して入力される音声の音質を調整するための送話調整回路７９と、音声を増幅する受話アンプ８０および送話アンプ８１と、通話回路８２とを有している。
【０００４】
このような従来のインターホン装置においては、子機マイク７４を介して入力された音声を音域が高くなるにつれて音量が増大するよう受話調整回路７８が調整し、親機マイク７７を介して入力された音声を音域が高くなるにつれて音量が低減するよう送話調整回路７９が受話調整回路７８と連動して調整することによって、レシーバー７６によって出力される高音域の音声を聞きやすくするとともに、双方向通話時のハウリングを防止している（例えば、特許文献１参照）。
【特許文献１】特開２０００−１１５３９１号公報
【発明の開示】
【発明が解決しようとする課題】
【０００５】
しかしながら、従来のインターホン装置においては、各室に設置された室内インターホン親機７２に通話音声を調整する受話調整回路７８および送話調整回路７９が設けられているため、各室内に設置された室内インターホン親機７２で受話調整回路７８および送話調整回路７９をそれぞれ設定しなければならず、通話音声の調整に関する設定に手間を要するといった問題があった。
【０００６】
本発明は、従来の問題を解決するためになされたもので、手間を要せずに通話音声の調整に関する設定を行うことができるインターホン装置を提供することを目的とする。
【課題を解決するための手段】
【０００７】
本発明のインターホン装置は、建造物の室内に設置された室内インターホン親機と、前記建造物の共同玄関に設置され、前記室内インターホン親機から送信された音声を出力する子機スピーカおよび前記子機スピーカによって出力される音声の周波数成分を設置環境に応じて変化させる出力音声フィルタを有する共同玄関子機とを備えた構成を有している。
【０００８】
この構成により、子機スピーカによって出力される音声の周波数成分を共同玄関子機の設置環境に応じて変化させるため、手間を要せずに通話音声の調整に関する設定を行うことができる。
【０００９】
また、本発明のインターホン装置は、建造物の室内に設置された室内インターホン親機と、前記建造物の共同玄関に設置され、前記室内インターホン親機に送信される音声が入力される子機マイクおよび前記子機マイクに入力された音声の周波数成分を設置環境に応じて変化させる入力音声フィルタを有する共同玄関子機とを備えた構成を有している。
【００１０】
この構成により、子機マイクに入力された音声の周波数成分を共同玄関子機の設置環境に応じて変化させるため、手間を要せずに通話音声の調整に関する設定を行うことができる。
【００１１】
また、本発明のインターホン装置は、前記共同玄関子機は、前記室内インターホン親機から送信された音声を出力する子機スピーカを有し、前記子機スピーカによって出力される音声の周波数成分を設置環境に応じて変化させる出力音声フィルタを備えた構成を有している。
【００１２】
この構成により、子機マイクに入力された音声、および子機スピーカによって出力される音声の周波数成分を共同玄関子機の設置環境に応じて変化させるため、手間を要せずに通話音声の調整に関する設定を行うことができる。
【００１３】
また、本発明のインターホン装置は、前記出力音声フィルタの周波数特性が設定される出力音声フィルタ設定部を備えた構成を有している。
【００１４】
この構成により、子機スピーカによって出力される音声の周波数成分を出力音声フィルタ設定部による設定に応じて変化させるため、インターホン装置の設置後に通話音声の調整に関する設定を容易に行うことができる。
【００１５】
また、本発明のインターホン装置は、前記入力音声フィルタの周波数特性が設定される入力音声フィルタ設定部を備えた構成を有している。
【００１６】
この構成により、子機マイクに入力された音声の周波数成分を入力音声フィルタ設定部による設定に応じて変化させるため、インターホン装置の設置後に通話音声の調整に関する設定を容易に行うことができる。
【００１７】
また、本発明のインターホン装置は、前記室内インターホン親機は、前記入力音声フィルタの周波数特性が入力される入力部と、前記入力部によって入力された周波数特性を表す特性情報を前記出力音声フィルタ設定部に送信する特性情報送信部とを有し、前記出力音声フィルタ設定部は、前記特性情報送信部によって送信された特性情報に基づいて前記出力音声フィルタの周波数特性を設定するようにした構成を有している。
【００１８】
この構成により、出力音声フィルタの周波数特性を室内インターホン親機からも設定できるようにしたため、通話音声の調整に関する設定を室内側で通話時に容易に変更することができ、最適な通話状態を常に維持することができる。
【００１９】
また、本発明のインターホン装置は、前記室内インターホン親機は、前記出力音声フィルタの周波数特性が入力される入力部と、前記入力部によって入力された周波数特性を表す特性情報を前記入力音声フィルタ設定部に送信する特性情報送信部とを有し、前記入力音声フィルタ設定部は、前記特性情報送信部によって送信された特性情報に基づいて前記入力音声フィルタの周波数特性を設定するようにした構成を有している。
【００２０】
この構成により、入力音声フィルタの周波数特性を室内インターホン親機からも設定できるようにしたため、通話音声の調整に関する設定を室内側で通話時に容易に変更することができ、最適な通話状態を常に維持することができる。
【発明の効果】
【００２１】
本発明は、手間を要せずに通話音声の調整に関する設定を行うことができるインターホン装置を提供することができるものである。
【発明を実施するための最良の形態】
【００２２】
以下、本発明の実施の形態について、図面を参照して説明する。
【００２３】
（第１の実施の形態）
本発明の第１の実施の形態のインターホン装置を図１に示す。
【００２４】
図１において、インターホン装置１は、集合住宅等の建造物の各室内に設置される室内インターホン親機２と、建造物の共同玄関に設置される共同玄関子機３とを備えている。なお、室内インターホン親機２は、各室内にそれぞれ設置されるが、図１においては、４つの室内インターホン親機２を図示している。
【００２５】
室内インターホン親機２は、来訪者からの音声を出力する親機スピーカ１０と、親機スピーカ１０によって出力される音声を最適なレベルに増幅する親機スピーカアンプ１１と、室内側からの音声が入力される親機マイク１２と、親機マイク１２に入力された音声を最適なレベルに増幅する親機マイクアンプ１３と、共同玄関子機３と通話音声を送受信する通話回路１４とを有している。
【００２６】
共同玄関子機３は、来訪者側からの音声が入力される子機マイク２０と、子機マイク２０に入力された音声を最適なレベルに増幅する子機マイクアンプ２１と、室内側からの音声を出力する子機スピーカ２２と、子機スピーカ２２によって出力される音声を最適なレベルに増幅する子機スピーカアンプ２３と、子機スピーカ２２によって出力される音声の周波数成分を共同玄関子機３の設置環境に応じて変化させる出力音声フィルタ２４と、室内インターホン親機２と通話音声を送受信する通話回路２５とを有している。
【００２７】
出力音声フィルタ２４は、ローパスフィルタ、ハイパスフィルタ、およびバンドパスフィルタ等の少なくとも１つの周波数フィルタを有しており、各周波数フィルタのフィルタ係数は、共同玄関子機３の設置環境に応じて、例えば、反響等の影響を受けにくくして、子機スピーカ２２によって出力される音声を来訪者が聞き取りやすくするように設定されている。
【００２８】
以上のように構成されたインターホン装置１について、その動作を説明する。
【００２９】
室内側からの音声は、親機マイク１２に入力され、親機マイクアンプ１３によって最適なレベルに増幅され、通話回路１４を介して共同玄関子機３の通話回路２５に伝達される。共同玄関子機３の通話回路２５に伝達された音声は、共同玄関子機３の設置環境に応じてフィルタ係数が設定された出力音声フィルタ２４によって周波数成分が変化され、子機スピーカアンプ２３によって最適なレベルに増幅され、子機スピーカ２２によって出力される。
【００３０】
一方、来訪者側からの音声は、子機マイク２０に入力され、子機マイクアンプ２１によって最適なレベルに増幅され、通話回路２５を介して室内インターホン親機２の通話回路１４に伝達される。室内インターホン親機２の通話回路１４に伝達された音声は、親機スピーカアンプ１１によって最適なレベルに増幅され、親機スピーカ１０によって出力される。
【００３１】
このような本発明の第１の実施の形態のインターホン装置１によれば、子機スピーカ２２によって出力される音声の周波数成分を共同玄関子機３の設置環境に応じて変化させる出力音声フィルタ２４を設けることにより、手間を要せずに通話音声の調整に関する設定を行うことができる。
【００３２】
（第２の実施の形態）
本発明の第２の実施の形態のインターホン装置を図２に示す。なお、本発明の第２の実施の形態におけるインターホン装置においては、本発明の第１の実施の形態におけるインターホン装置１の構成要素と同一の構成要素に同一の符号を付して、その説明を省略する。
【００３３】
図２において、インターホン装置３１は、室内インターホン親機２と、建造物の共同玄関に設置される共同玄関子機３２とを備えている。
【００３４】
共同玄関子機３２は、子機マイク２０と、子機マイクアンプ２１と、子機マイク２０に入力された音声の周波数成分を共同玄関子機３２の設置環境に応じて変化させる入力音声フィルタ３３と、室内側からの音声を出力する子機スピーカ２２と、子機スピーカアンプ２３と、通話回路２５とを有している。
【００３５】
入力音声フィルタ３３は、少なくとも１つの周波数フィルタを有しており、各周波数フィルタのフィルタ係数は、共同玄関子機３２の設置環境に応じて、例えば、騒音等の影響を受けにくくして、室内インターホン親機２の親機スピーカ１０によって出力される音声を室内側で聞き取りやすくするように設定されている。
【００３６】
以上のように構成されたインターホン装置３１について、その動作を説明する。
【００３７】
室内側からの音声は、親機マイク１２に入力され、親機マイクアンプ１３によって最適なレベルに増幅され、通話回路１４を介して共同玄関子機３２の通話回路２５に伝達される。共同玄関子機３２の通話回路２５に伝達された音声は、子機スピーカアンプ２３によって最適なレベルに増幅され、子機スピーカ２２によって出力される。
【００３８】
一方、来訪者側からの音声は、子機マイク２０に入力され、子機マイクアンプ２１によって最適なレベルに増幅され、共同玄関子機３２の設置環境に応じてフィルタ係数が設定された入力音声フィルタ３３によって周波数成分が変化され、通話回路２５を介して室内インターホン親機２の通話回路１４に伝達される。室内インターホン親機２の通話回路１４に伝達された音声は、親機スピーカアンプ１１によって最適なレベルに増幅され、親機スピーカ１０によって出力される。
【００３９】
このような本発明の第２の実施の形態のインターホン装置３１によれば、子機マイク２０に入力された音声の周波数成分を共同玄関子機３２の設置環境に応じて変化させる入力音声フィルタ３３を設けることにより、手間を要せずに通話音声の調整に関する設定を行うことができる。
【００４０】
（第３の実施の形態）
本発明の第３の実施の形態のインターホン装置を図３に示す。なお、本発明の第３の実施の形態におけるインターホン装置においては、本発明の第１の実施の形態におけるインターホン装置１の構成要素と同一の構成要素に同一の符号を付して、その説明を省略する。
【００４１】
図３において、インターホン装置４１は、室内インターホン親機２と、建造物の共同玄関に設置される共同玄関子機４２とを備えている。
【００４２】
共同玄関子機４２は、子機マイク２０と、子機マイクアンプ２１と、子機マイク２０に入力された音声の周波数成分を変化させる入力音声フィルタ４３と、入力音声フィルタ４３の周波数特性が設定される入力音声フィルタ設定部４４と、室内側からの音声を出力する子機スピーカ２２と、子機スピーカアンプ２３と、子機スピーカ２２によって出力される音声の周波数成分を変化させる出力音声フィルタ４５と、出力音声フィルタ４５の周波数特性が設定される出力音声フィルタ設定部４６と、通話回路２５とを有している。
【００４３】
入力音声フィルタ４３は、少なくとも１つの周波数フィルタを有しており、各周波数フィルタのフィルタ係数は、入力音声フィルタ設定部４４によって設定される。また、出力音声フィルタ４５は、少なくとも１つの周波数フィルタを有しており、各周波数フィルタのフィルタ係数は、出力音声フィルタ設定部４６によって設定される。
【００４４】
以上のように構成されたインターホン装置４１について、その動作を説明する。
【００４５】
室内側からの音声は、親機マイク１２に入力され、親機マイクアンプ１３によって最適なレベルに増幅され、通話回路１４を介して共同玄関子機４２の通話回路２５に伝達される。共同玄関子機４２の通話回路２５に伝達された音声は、出力音声フィルタ設定部４６によってフィルタ係数が設定された出力音声フィルタ４５によって周波数成分が変化され、子機スピーカアンプ２３によって最適なレベルに増幅され、子機スピーカ２２によって出力される。
【００４６】
一方、来訪者側からの音声は、子機マイク２０に入力され、子機マイクアンプ２１によって最適なレベルに増幅され、入力音声フィルタ設定部４４によってフィルタ係数が設定された入力音声フィルタ４３によって周波数成分が変化され、通話回路２５を介して室内インターホン親機２の通話回路１４に伝達される。室内インターホン親機２の通話回路１４に伝達された音声は、親機スピーカアンプ１１によって最適なレベルに増幅され、親機スピーカ１０によって出力される。
【００４７】
このような本発明の第３の実施の形態のインターホン装置４１によれば、子機マイク２０に入力された音声の周波数成分を入力音声フィルタ設定部４４による設定に応じて変化させる入力音声フィルタ４３と、子機スピーカ２２によって出力される音声の周波数成分を出力音声フィルタ設定部４６による設定に応じて変化させる出力音声フィルタ４５とを設けることにより、インターホン装置４１の設置後に通話音声の調整に関する設定を容易に行うことができる。
【００４８】
（第４の実施の形態）
本発明の第４の実施の形態のインターホン装置を図４に示す。なお、本発明の第４の実施の形態におけるインターホン装置においては、本発明の第３の実施の形態におけるインターホン装置４１の構成要素と同一の構成要素に同一の符号を付して、その説明を省略する。
【００４９】
図４において、インターホン装置５１は、集合住宅等の建造物の各室内に設置される室内インターホン親機５２と、建造物の共同玄関に設置される共同玄関子機５３とを備えている。なお、室内インターホン親機５２は、各室内にそれぞれ設置されるが、図４においては、４つの室内インターホン親機５２を図示している。
【００５０】
共同玄関子機５３は、子機マイク２０と、子機マイクアンプ２１と、入力音声フィルタ４３と、入力音声フィルタ設定部４４と、子機スピーカ２２と、子機スピーカアンプ２３と、出力音声フィルタ４５と、出力音声フィルタ設定部４６と、通話回路２５とを有している。
【００５１】
室内インターホン親機５２は、親機スピーカ１０と、親機スピーカアンプ１１と、親機マイク１２と、親機マイクアンプ１３と、通話回路１４と、入力音声フィルタ４３および出力音声フィルタ４５の周波数特性が入力される入力部５４と、入力部５４によって入力された周波数特性を表す特性情報を読み込む中央処理装置（Central Processing Unit、以下単に「ＣＰＵ」と記載する。）５５と、特性情報を共同玄関子機５３に送信する特性情報送信部５６とを有している。
【００５２】
共同玄関子機５３は、室内インターホン親機５２から送信された特性情報を受信する特性情報受信部５７と、特性情報に基づいて入力音声フィルタ設定部４４および出力音声フィルタ設定部４６を制御するＣＰＵ５８とをさらに有している。
【００５３】
以上のように構成されたインターホン装置５１について、その動作を説明する。
【００５４】
入力部５４によって入力音声フィルタ４３および出力音声フィルタ４５の周波数特性が入力されると、入力された周波数特性を表す特性情報がＣＰＵ５５によって読み込まれ、特性情報送信部５６によって共同玄関子機５３に送信される。
【００５５】
特性情報送信部５６によって送信された特性情報は、特性情報受信部５７によって受信され、受信された特性情報に基づいて入力音声フィルタ設定部４４および出力音声フィルタ設定部４６がＣＰＵ５８によって制御され、入力音声フィルタ４３および出力音声フィルタ４５のフィルタ係数が入力音声フィルタ設定部４４および出力音声フィルタ設定部４６によってそれぞれ設定される。
【００５６】
室内側からの音声は、親機マイク１２に入力され、親機マイクアンプ１３によって最適なレベルに増幅され、通話回路１４を介して共同玄関子機５３の通話回路２５に伝達される。共同玄関子機５３の通話回路２５に伝達された音声は、出力音声フィルタ設定部４６によってフィルタ係数が設定された出力音声フィルタ４５によって周波数成分が変化され、子機スピーカアンプ２３によって最適なレベルに増幅され、子機スピーカ２２によって出力される。
【００５７】
一方、来訪者側からの音声は、子機マイク２０に入力され、子機マイクアンプ２１によって最適なレベルに増幅され、入力音声フィルタ設定部４４によってフィルタ係数が設定された入力音声フィルタ４３によって周波数成分が変化され、通話回路２５を介して室内インターホン親機５２の通話回路１４に伝達される。室内インターホン親機５２の通話回路１４に伝達された音声は、親機スピーカアンプ１１によって最適なレベルに増幅され、親機スピーカ１０によって出力される。
【００５８】
このような本発明の第４の実施の形態のインターホン装置５１によれば、入力音声フィルタ４３および出力音声フィルタ４５の周波数特性が入力される入力部５４を室内インターホン親機５２に設けることにより、通話音声の調整に関する設定を通話時に容易に変更することができ、最適な通話状態を常に維持することができる。
【産業上の利用可能性】
【００５９】
以上のように、本発明にかかるインターホン装置は、手間を要せずに通話音声の調整に関する設定を行うことができるという効果を有し、集合住宅等の建造物の共同玄関に設置される共同玄関子機と、建造物の各室内に設置される室内インターホン親機との間で通話させるインターホン装置等として有用である。
【図面の簡単な説明】
【００６０】
【図１】本発明の第１の実施の形態におけるインターホン装置のブロック図
【図２】本発明の第２の実施の形態におけるインターホン装置のブロック図
【図３】本発明の第３の実施の形態におけるインターホン装置のブロック図
【図４】本発明の第４の実施の形態におけるインターホン装置のブロック図
【図５】従来のインターホン装置の説明図
【符号の説明】
【００６１】
１、３１、４１、５１  インターホン装置
２、５２、７２  室内インターホン親機
３、３２、４２、５３  共同玄関子機
１０  親機スピーカ
１１  親機スピーカアンプ
１２、７７  親機マイク
１３  親機マイクアンプ
１４、２５、７５、８２  通話回路
２０、７４  子機マイク
２１  子機マイクアンプ
２２、７３  子機スピーカ
２３  子機スピーカアンプ
２４、４５  出力音声フィルタ
３３、４３  入力音声フィルタ
４４  入力音声フィルタ設定部
４６  出力音声フィルタ設定部
５４  入力部
５５、５８  ＣＰＵ
５６  特性情報送信部
５７  特性情報受信部
７１  ドアホン子機
７６  レシーバー
７８  受話調整回路
７９  送話調整回路
８０  受話アンプ
８１  送話アンプ
【図１】
2006033594.tif 000003
【図２】
2006033594.tif 000004
【図３】
2006033594.tif 000005
【図４】
2006033594.tif 000006
【図５】
2006033594.tif 000007